(57)【要約】【課題】  最適な放送の物理チャンネルを合理的に選択する。【解決手段】  最適物理チャンネルを決定するに際して、第１アンテナユニットによる受信結果による視聴を確保しつつ、第２アンテナユニットに対応させる物理チャンネルを、視聴中物理チャンネルと同一内容放送を行う複数の物理チャンネルのそれぞれに順次切り換える。そして、第２アンテナユニットに対応させる物理チャンネルが視聴中物理チャンネルに一致する場合には、第１又は第２アンテナユニットに属するアンテナの全ての受信結果に基づいて、視聴中物理チャンネルに関する受信状態を収集する。一方、第２アンテナユニットに対応させる物理チャンネルが視聴中物理チャンネルに一致しない場合には、第２アンテナユニットに属するアンテナの受信結果に基づいて、収集対象となる物理チャンネルの受信状態を収集する。そして、収集結果に基づいて、最適物理チャンネルを決定する。【選択図】  図１１
2008278126.tif 000002
【特許請求の範囲】
【請求項１】
少なくとも１つのアンテナを含む第１アンテナグループと；
前記第１アンテナグループに属するアンテナのそれぞれで受信した信号の中から、指定された第１物理チャンネルの放送信号を選択して、所定周波数帯の信号に変換する第１チューナ手段と；
前記第１アンテナグループによる受信状態を検出する第１検出手段と；
前記第１アンテナグループに属さない少なくとも１つのアンテナを含む第２アンテナグループと；
前記第２アンテナグループに属するアンテナのそれぞれで受信した信号の中から、前記第１チューナ手段に対する指定とは独立に指定された第２物理チャンネルの放送信号を選択して、所定周波数帯の信号に変換する第２チューナ手段と；
前記第２アンテナグループによる受信状態を検出する第２検出手段と；
同一コンテンツの放送のための複数の物理チャンネルごとに周波数帯が記憶される記憶手段と；
前記第１物理チャンネルとして視聴中物理チャンネルを指定しつつ、前記視聴中物理チャンネルと同一内容の放送を行っている前記記憶手段に記憶された複数の物理チャンネルのそれぞれを順次前記第２物理チャンネルとして指定し、前記第２物理チャンネルが前記視聴中物理チャンネルと異なる場合における前記第２検出手段による検出結果と、前記第２物理チャンネルが前記視聴中物理チャンネルと同一の場合における前記第１検出手段による検出結果及び前記第２検出手段による検出結果とに基づいて、最適物理チャンネルをサーチするサーチ手段と；
前記サーチ手段によるサーチ期間においては、前記第１チューナ手段からの出力信号に基づいてコンテンツ再生処理を行うとともに、前記サーチ手段によるサーチ期間以外の期間においては、前記第１チューナ手段からの出力信号及び第２チューナ手段からの出力信号に基づいてコンテンツ再生処理を行う再生処理手段と；
前記サーチ手段によりサーチされた前記最適物理チャンネルを、前記第１物理チャンネル及び前記第２物理チャンネルとして指定する選局制御手段と；
を備えることを特徴とする放送受信装置。
【請求項２】
移動体に搭載される、ことを特徴とする請求項１に記載の放送受信装置。
【請求項３】
前記第１アンテナグループに属するアンテナは、前記移動体の走行方向の反対方向に向けて配設され、
前記第２アンテナグループに属するアンテナは、前記移動体の走行方向に向けて配設される、
ことを特徴とする請求項２に記載の放送受信装置。
【請求項４】
前記第１検出手段は、前記第１アンテナグループに属するアンテナそれぞれにおける前記第１物理チャンネルからの放送波の受信パワーを検出し、
前記第２検出手段は、前記第２アンテナグループに属するアンテナそれぞれにおける前記第２物理チャンネルからの放送波の受信パワーを検出する、
ことを特徴とする請求項１〜３のいずれか一項に記載の放送受信装置。
【請求項５】
前記サーチ手段は、
前記第２物理チャンネルが前記第１物理チャンネルと異なる場合には、前記第２物理チャンネルが順次指定されるたびに、前記第２アンテナグループに属するアンテナそれぞれにおける前記第２物理チャンネルを介した放送波の受信レベルの最大値を求め、
前記第２物理チャンネルが前記第１物理チャンネルと同一の場合には、前記第１又は第２アンテナグループに属するアンテナそれぞれにおける前記第２物理チャンネルを介した放送波の受信レベルの最大値を求め、
求められた最大値のうちで最大となったものに対応する第２物理チャンネルを前記最適物理チャンネルであると判断する、
ことを特徴とする請求項４に記載の放送受信装置。
【請求項６】
少なくとも１つのアンテナを含む第１アンテナグループと；前記第１アンテナグループに属するアンテナのそれぞれで受信した信号の中から、指定された第１物理チャンネルを介した放送信号を選択して、所定周波数帯の信号に変換する第１チューナ手段と；前記第１アンテナグループに属さない少なくとも１つのアンテナを含む第２アンテナグループと；前記第２アンテナグループに属するアンテナのそれぞれで受信した信号の中から、前記第１物理チャンネルの指定とは独立して指定された第２物理チャンネルを介した放送信号を選択して、所定周波数帯の信号に変換する第２チューナ手段と；を備える放送受信装置において使用される選局方法であって、
前記第１物理チャンネルとして視聴中物理チャンネルを指定しつつ、前記視聴中物理チャンネルと同一の内容の放送を行っている複数の物理チャンネルのそれぞれを順次前記第２物理チャンネルとして指定する物理チャンネル指定工程と；
前記第２物理チャンネルが指定されるたびに、前記第２物理チャンネルが前記視聴中物理チャンネルと異なる場合には、前記第２物理チャンネルを介した放送波の前記第２アンテナグループによる受信状態を検出するとともに、前記第２物理チャンネルが前記第１物理チャンネルと同一の場合には、前記視聴中物理チャンネルからの放送波の前記第１アンテナグループによる受信状態及び前記視聴中物理チャンネルからの放送波の前記第２アンテナグループによる受信状態を検出する検出工程と；
前記検出工程における検出結果に基づいて、最適物理チャンネルを決定する決定工程と；
前記決定工程において決定された前記最適物理チャンネルを、前記第１物理チャンネル及び前記第２物理チャンネルとして指定する最適チャンネル指定工程と；
を備えることを特徴とする選局方法。
【請求項７】
請求項６に記載の選局方法を演算手段に実行させる、ことを特徴とする選局プログラム。
【請求項８】
請求項７に記載の選局プログラムが、演算手段により読み取り可能に記録されている、ことを特徴とする記録媒体。
【発明の詳細な説明】
【技術分野】
【０００１】
本発明は、放送受信装置、選局方法、選局プログラム及びその記録媒体に関する。
【背景技術】
【０００２】
従来から、車両等の移動体の多くに地上デジタル放送を受信して再生する放送受信装置が搭載されている。こうした放送受信装置による放送受信の環境は、移動体の移動に伴って変化する。これは、地上デジタル放送では、地域ごとに配置される中継局としてＭＦＮ（Multi Frequency Network）方式が採用されており、物理チャンネルの配置が地域ごとに異なっているためである。このため、放送地域をまたがって移動体が移動する場合に、同一の放送内容の良好な視聴を継続するためには、再生用に選択する物理チャンネルを適宜に切り換えることが必要となる。
【０００３】
かかる物理チャンネルの切り換えに関する技術として、選択する物理チャンネルを自動的に切り換える技術が提案されている（特許文献１参照：以下、「従来例」と呼ぶ）。この従来例の技術では、アンテナとチューナとの組を２組用意し、一方の組を視聴用に用いつつ、受信状態を確認する。かかる一方の組の動作と並行して、他方の組を用いて、視聴中物理チャンネルとは異なる切換候補の物理チャンネルの受信状態を確認する。そして、視聴中物理チャンネル及び切換候補の物理チャンネルの受信状態に基づいて、最適であると推定される物理チャンネルを決定し、その物理チャンネルを新たな視聴用の物理チャンネルに設定するようになっている。
【０００４】
【特許文献１】特開２００４−３２０４０６号公報
【発明の開示】
【発明が解決しようとする課題】
【０００５】
上述した従来例の技術では、各時点において、アンテナとチューナとの組ごとに、視聴中物理チャンネルに関する処理と、切換候補の物理チャンネルに関する処理とを完全に分離している。そして、一方の組を利用して視聴中に、一方の組で受信処理をしている視聴中物理チャンネルよりも受信状態が良いと推定される物理チャンネルが他方の組による受信状態の確認で見出された場合には、見出された当該物理チャンネルによる受信処理を他方の組のアンテナ及びチューナを利用して行う。
【０００６】
かかる従来例の技術では、当該他方の組による視聴中物理チャンネルの受信状態が考慮されないので、一方の組のアンテナと他方の組のアンテナとの配置位置や指向性によっては、他方の組による視聴中物理チャンネルの受信状態が最も良好となっている場合があり得た。このため、受信処理が可能な物理チャンネルのうちで最適な物理チャンネルを精度良く推定できるとはいい難かった。この結果、移動体の移動に伴って頻繁に視聴用の物理チャンネルの切り換えが発生する可能性があった。
【０００７】
このため、受信処理が可能な物理チャンネルのうちで最適な物理チャンネルを精度良く推定できる技術が待望されている。かかる要請に応えることが、本発明が解決すべき課題の一つとして挙げられる。
【０００８】
本発明は、上記の事情を鑑みてなされたものであり、視聴中の放送内容の継続的な視聴を確保しつつ、最適な放送の物理チャンネルを合理的に選択することができる放送受信装置及び選局方法を提供することを目的とする。
【課題を解決するための手段】
【０００９】
請求項１に記載の発明は、少なくとも１つのアンテナを含む第１アンテナグループと；前記第１アンテナグループに属するアンテナのそれぞれで受信した信号の中から、指定された第１物理チャンネルの放送信号を選択して、所定周波数帯の信号に変換する第１チューナ手段と；前記第１アンテナグループによる受信状態を検出する第１検出手段と；前記第１アンテナグループに属さない少なくとも１つのアンテナを含む第２アンテナグループと；前記第２アンテナグループに属するアンテナのそれぞれで受信した信号の中から、前記第１チューナ手段に対する指定とは独立に指定された第２物理チャンネルの放送信号を選択して、所定周波数帯の信号に変換する第２チューナ手段と；前記第２アンテナグループによる受信状態を検出する第２検出手段と；同一コンテンツの放送のための複数の物理チャンネルごとに周波数帯が記憶される記憶手段と；前記第１物理チャンネルとして視聴中物理チャンネルを指定しつつ、前記視聴中物理チャンネルと同一内容の放送を行っている前記記憶手段に記憶された複数の物理チャンネルのそれぞれを順次前記第２物理チャンネルとして指定し、前記第２物理チャンネルが前記視聴中物理チャンネルと異なる場合における前記第２検出手段による検出結果と、前記第２物理チャンネルが前記視聴中物理チャンネルと同一の場合における前記第１検出手段による検出結果及び前記第２検出手段による検出結果とに基づいて、最適物理チャンネルをサーチするサーチ手段と；前記サーチ手段によるサーチ期間においては、前記第１チューナ手段からの出力信号に基づいてコンテンツ再生処理を行うとともに、前記サーチ手段によるサーチ期間以外の期間においては、前記第１チューナ手段からの出力信号及び第２チューナ手段からの出力信号に基づいてコンテンツ再生処理を行う再生処理手段と；前記サーチ手段によりサーチされた前記最適物理チャンネルを、前記第１物理チャンネル及び前記第２物理チャンネルとして指定する選局制御手段と；を備えることを特徴とする放送受信装置である。
【００１０】
請求項６に記載の発明は、少なくとも１つのアンテナを含む第１アンテナグループと；前記第１アンテナグループに属するアンテナのそれぞれで受信した信号の中から、指定された第１物理チャンネルを介した放送信号を選択して、所定周波数帯の信号に変換する第１チューナ手段と；前記第１アンテナグループに属さない少なくとも１つのアンテナを含む第２アンテナグループと；前記第２アンテナグループに属するアンテナのそれぞれで受信した信号の中から、前記第１物理チャンネルの指定とは独立して指定された第２物理チャンネルを介した放送信号を選択して、所定周波数帯の信号に変換する第２チューナ手段と；を備える放送受信装置において使用される選局方法であって、前記第１物理チャンネルとして視聴中物理チャンネルを指定しつつ、前記視聴中物理チャンネルと同一の内容の放送を行っている複数の物理チャンネルのそれぞれを順次前記第２物理チャンネルとして指定する物理チャンネル指定工程と；前記第２物理チャンネルが指定されるたびに、前記第２物理チャンネルが前記視聴中物理チャンネルと異なる場合には、前記第２物理チャンネルを介した放送波の前記第２アンテナグループによる受信状態を検出するとともに、前記第２物理チャンネルが前記第１物理チャンネルと同一の場合には、前記視聴中物理チャンネルからの放送波の前記第１アンテナグループによる受信状態及び前記視聴中物理チャンネルからの放送波の前記第２アンテナグループによる受信状態を検出する検出工程と；前記検出工程における検出結果に基づいて、最適物理チャンネルを決定する決定工程と；前記決定工程において決定された前記最適物理チャンネルを、前記第１物理チャンネル及び前記第２物理チャンネルとして指定する最適チャンネル指定工程と；を備えることを特徴とする選局方法である。  
【００１１】
請求項７に記載の発明は、請求項６に記載の選局方法を演算手段に実行させる、ことを特徴とする選局プログラムである。
【００１２】
請求項８に記載の発明は、請求項７に記載の選局プログラムが、演算手段により読み取り可能に記録されている、ことを特徴とする記録媒体である。
【発明を実施するための最良の形態】
【００１３】
以下、本発明の一実施形態を、図１〜図１３を参照して説明する。なお、なお、本実施形態においては、車両に搭載され、ＭＰＥＧ方式によるコード化が行われた後に、ＯＦＤＭ（Orthogonal Frequency Division Multiplex）変調が施された地上デジタル放送波を受信して処理する放送受信装置を例示して説明する。また、以下の説明及び図面においては、同一又は同等の要素には同一の符号を付し、重複する説明を省略する。
【００１４】
［構成］
図１には、一実施形態に係る放送受信装置１００の概略的な構成がブロック図にて示されている。この図１に示されるように、放送受信装置１００は、第１アンテナグループとしてのアンテナグループ１１０1と、第２アンテナグループとしてのアンテナグループ１１０2とを備えている。また、放送受信装置１００は、制御ユニット１２０と、チューナユニット１３０と、再生処理ユニット１４０とを備えている。さらに、放送受信装置１００は、操作入力ユニット１５０と、音出力ユニット１６０と、表示ユニット１７０とを備えている。
【００１５】
アンテナユニット１１０1は、アンテナ１１１11と、アンテナ１１１12とを備えている。また、アンテナユニット１１０2は、アンテナ１１１21と、アンテナ１１１22とを備えている。これらのアンテナ１１１11〜アンテナ１１１22は、図２に示されるように、車両ＣＲに配設されている。すなわち、アンテナユニット１１０1に属するアンテナ１１１11，１１１12は、車両の後方に配設されている。また、アンテナユニット１１０2に属するアンテナ１１１21，１１１22は、車両の前方に配設されている。
【００１６】
このため、アンテナユニット１１０1は、走行逆方向に受信感度の指向性を有し、アンテナユニット１１０2は、走行方向に受信感度の指向性を有している。この結果、走行方向側に放送基地局ＢＳＦがあり、走行逆方向側に放送基地局ＢＳＢがある場合には、アンテナユニット１１０1は、放送基地局ＢＳＢからの放送波に対して感度が高く、アンテナユニット１１０2は、放送基地局ＢＳＦからの放送波に対して感度が高くなる。
【００１７】
図１に戻り、アンテナ１１１11による受信結果は、受信信号ＲＦＳ11として、チューナユニット１３０へ向けて出力される。また、アンテナ１１１12による受信結果は、受信信号ＲＦＳ12として、チューナユニット１３０へ向けて出力される。
【００１８】
アンテナ１１１21による受信結果は、受信信号ＲＦＳ21として、チューナユニット１３０へ向けて出力される。また、アンテナ１１１22による受信結果は、受信信号ＲＦＳ22として、チューナユニット１３０へ向けて出力される。
【００１９】
制御ユニット１２０は、放送受信装置１００の全体の動作を制御する。この制御ユニット１２０については、後述する。
【００２０】
チューナユニット１３０は、制御ユニット１２０からの選局指令ＣＳＬ1，ＣＳＬ2及び再生処理ユニット１４０からの自動利得制御信号ＡＧＣ11〜ＡＧＣ22に従って、選択すべき物理チャンネルの信号を受信信号ＲＦＳ11〜ＲＦＳ22から抽出する選局処理を行い、所定の中間周波数を有する選局信号ＩＦＳ11〜ＩＦＳ22として再生処理ユニット１４０へ向けて出力する。このチューナユニット１３０は、図３に示されるように、第１チューナユニット１３１1と、第２チューナユニット１３１2とを備えている。
【００２１】
第１チューナユニット１３１1は、アンテナユニット１１０1に属するアンテナ１１１11，１１１12からの受信信号ＲＦＳ11，ＲＦＳ12に対する選局処理を行う。この第１チューナユニット１３１1は、チューナ回路１３２11，１３２12と、局部発振回路（ＯＳＣ）１３３1とを備えている。
【００２２】
チューナ回路１３２11は、局部発振回路１３３1からの局部発振信号ＣＦ1及び再生処理ユニット１４０からの自動利得制御信号ＡＧＣ11に従って、選択すべき物理チャンネルの信号を受信信号ＲＦＳ11から抽出し、抽出結果を、所定の中間周波数を有する選局信号ＩＦＳ11として再生処理ユニット１４０向けて出力する。また、チューナ回路１３２12は、局部発振回路１３３1からの局部発振信号ＣＦ1及び再生処理ユニット１４０からの自動利得制御信号ＡＧＣ12に従って、選択すべき物理チャンネルの信号を受信信号ＲＦＳ12から抽出し、抽出結果を、所定の中間周波数を有する選局信号ＩＦＳ12として再生処理ユニット１４０向けて出力する。
【００２３】
局部発振回路１３３1は、電圧制御等により発振周波数の制御が可能な発振器等を備えて構成される。この局部発振回路１３３1は、制御ユニット１２０から供給された選局指令ＣＳＬ1に従って、第１チューナユニット１３１1において選局すべき物理チャンネルに対応する周波数の局部発振信号ＣＦ1を生成し、チューナ回路１３２11，１３２12へ供給する。
【００２４】
第２チューナユニット１３１2は、アンテナユニット１１０2に属するアンテナ１１１21，１１１22からの受信信号ＲＦＳ21，ＲＦＳ22に対する選局処理を行う。この第２チューナユニット１３１2は、チューナ回路１３２21，１３２22と、局部発振回路（ＯＳＣ）１３３2とを備えている。
【００２５】
チューナ回路１３２21は、局部発振回路１３３2からの局部発振信号ＣＦ2及び再生処理ユニット１４０からの自動利得制御信号ＡＧＣ21に従って、選択すべき物理チャンネルの信号を受信信号ＲＦＳ21から抽出し、抽出結果を、所定の中間周波数を有する選局信号ＩＦＳ21として再生処理ユニット１４０向けて出力する。また、チューナ回路１３２22は、局部発振回路１３３2からの局部発振信号ＣＦ2及び再生処理ユニット１４０からの自動利得制御信号ＡＧＣ22に従って、選択すべき物理チャンネルの信号を受信信号ＲＦＳ22から抽出し、抽出結果を、所定の中間周波数を有する選局信号ＩＦＳ22として再生処理ユニット１４０向けて出力する。
【００２６】
局部発振回路１３３2は、上述した局部発振回路１３３1と同様に、電圧制御等により発振周波数の制御が可能な発振器等を備えて構成される。この局部発振回路１３３2は、制御ユニット１２０から上述した選局指令ＣＳＬ1とは独立して供給された選局指令ＣＳＬ2に従って、第２チューナユニット１３１2において選局すべき物理チャンネルに対応する周波数の局部発振信号ＣＦ2を生成し、チューナ回路１３２21，１３２22へ供給する。
【００２７】
上記のチューナ回路１３２jk（ｊ＝１，２；ｋ＝１，２）のそれぞれは、図４に示されるように、入力フィルタ２１１と、高周波増幅器（ＲＦ−ＡＭＰ：Radio Frequency-Amplifier）２１２と、バンドパスフィルタ（以下、「ＲＦフィルタ」とも呼ぶ）２１３とを備えている。また、チューナ回路１３２jkのそれぞれは、ミキサ（混合器）２１４と、中間周波フィルタ（以下、「ＩＦフィルタ」とも呼ぶ）２１５と、中間周波増幅器（ＩＦ−ＡＭＰ：Intermediate Frequency-Amplifier）２１６とを備えている。
【００２８】
入力フィルタ２１１は、対応するアンテナ１１１jkからの受信信号ＲＦＳjkの低周波成分を遮断するハイパスフィルタである。高周波増幅器２１２は、入力フィルタ２１１を通過した信号を増幅する。
【００２９】
ＲＦフィルタ２１３は、高周波増幅器２１２から出力された信号のうち、特定の周波数範囲の信号を選択的に通過させる。ミキサ２１４は、ＲＦフィルタ２１３を通過した信号と、局部発振回路１３３jから供給された局部発振信号ＣＦjとを混合する。ＩＦフィルタ２１５は、ミキサ２１４から出力された信号のうち、予め定められた中間周波数範囲の信号を選択して通過させる。
【００３０】
中間周波増幅器２１６は、ＩＦフィルタ２１５を通過した信号を増幅する。ここで、中間周波増幅器２１６の増幅率は、再生処理ユニット１４０からの自動利得制御信号ＡＧＣjkによって制御されるようになっている。このため、中間周波増幅器２１６による増幅結果は、再生処理ユニット１４０における処理に際して、適切なレベルとなる。この中間周波増幅器２１６による増幅結果は、選局信号ＩＦＳjkとして、再生処理ユニット１４０へ向けて出力される。
【００３１】
図１に戻り、再生処理ユニット１４０は、制御ユニット１２０による制御のもとで、チューナユニット１３０からの選局信号ＩＦＳ11〜ＩＦＳ22を処理して、音出力ユニット１６０へ供給するための音声データＡＤＴ及び表示ユニット１７０へ供給するための画像データＩＤＴを生成する。この再生処理ユニット１４０は、図５に示されるように、ＯＦＤＭ復調部１４１と、デコード部１４２とを備えている。また、再生処理ユニット１４０は、音声処理部１４３と、映像処理部１４４とを備えている。
【００３２】
ＯＦＤＭ復調部１４１は、チューナユニット１３０における利得の自動制御を行うとともに、チューナユニット１３０からの選局信号ＩＦＳ11〜ＩＦＳ22に基づいて、ＯＦＤＭ復調処理を行う。このＯＦＤＭ復調部１４１は、図６に示されるように、第１及び第２検出手段としてのＡＧＣ制御部２２１と、信号合成部２２２と、復調部２２３とを備えている。
【００３３】
ＡＧＣ制御部２２１は、選局信号ＩＦＳ11〜ＩＦＳ22を受ける。そして、ＡＧＣ制御部２２１は、選局信号ＩＦＳjk（ｊ＝１，２；ｋ＝１，２）のそれぞれの信号レベルを検出し、各信号レベルを所定レベルとするための自動利得制御信号ＡＧＣjkを生成する。こうして生成された自動利得制御信号ＡＧＣjkは、選択すべき物理チャンネルの信号のアンテナ１１１jkにおける受信レベル、すなわち、選択すべき物理チャンネルの信号の受信状態を反映したものとなっている。生成された自動利得制御信号ＡＧＣjkは、制御ユニット１２０及びチューナユニット１３０向けて出力される。
【００３４】
信号合成部２２２は、制御ユニット１２０による制御のもとで、信号合成処理を行う。この信号合成部２２２は、制御ユニット１２０からの合成制御指令ＳＮＣにより通常合成が指定された場合には、選局信号ＩＦＳ11〜ＩＦＳ22の４つの信号の合成を行う。一方、信号合成部２２２は、制御ユニット１２０からの合成制御指令ＳＮＣによりサーチ中合成が指定された場合には、選局信号ＩＦＳ11，ＩＦＳ12の２つの信号の合成を行う。信号合成部２２２による信号合成結果は、合成信号ＳＮＤとして、復調部２２３へ向けて出力される。
【００３５】
復調部２２３は、信号合成部２２２からの合成信号ＳＮＤを受ける。そして、復調部２２３は、合成信号ＳＮＤに対してＯＦＤＭ復調を施す。このＯＦＤＭ復調結果における音声及び映像に関する部分は、コンテンツ復調信号ＤＭＤとして、デコード部１４２へ向けて出力される。一方、ＯＦＤＭ復調結果における音声及び映像に関するデータ放送部分は、信号ＤＢＤとして制御ユニット１２０へ向けて出力される。かかる信号ＤＢＤに含まれる情報としては、放送局からのダウンロードデータや、通常放送時における同一内容の放送を行っている物理チャンネル情報等がある。
【００３６】
図５に戻り、デコード部１４２は、復調部２２３からのコンテンツ復調信号ＤＭＤを受ける。そして、デコード部１４２は、制御ユニット１２０からの制御信号ＣＴＤによる制御のもとで、コンテンツ復調信号ＤＭＤのデコードを行い、音声に関するデコード結果を、復調音声データＤＡＤとして、音声処理部１４３へ向けて出力する。また、デコード部１４２は、映像に関するデコード結果を、復調映像データＤＩＤとして、映像処理部１４４へ向けて出力する。
【００３７】
音声処理部１４３は、復調音声データＤＡＤに基づいて音声データＡＤＴを生成する。生成された音声データＡＤＴは、音出力ユニット１６０へ向けて出力される。
【００３８】
映像処理部１４４は、復調映像データＤＩＤに基づいて画像データＩＤＴを生成する。生成された画像データＩＤＴは、表示ユニット１７０へ向けて出力される。
【００３９】
図１に戻り、操作入力ユニット１５０は、放送受信装置１００の本体部に設けられたキー部、あるいはキー部を備えるリモート入力装置等により構成される。ここで、本体部に設けられたキー部としては、表示ユニット１７０に設けられたタッチパネルを用いることができる。また、キー部を有する構成に代えて、音声入力する構成を採用することもできる。操作入力ユニット１５０への操作入力結果は、操作入力データＩＰＤとして制御ユニット１２０へ送られる。
【００４０】
音出力ユニット１６０は、（ｉ）再生処理ユニット１４０から受信した音声データＡＤＴをアナログ信号に変換するＤＡ（Digital to Analogue）変換器と、（ii）当該ＤＡ変換器から出力されたアナログ信号を増幅する増幅器と、（iii）増幅されたアナログ信号を音声に変換するスピーカとを備えて構成されている。この音出力ユニット１６０は、希望局からの放送音声を出力する。
【００４１】
表示ユニット１７０は、（ｉ）液晶表示パネル、有機ＥＬ（Electro Luminescence）パネル、ＰＤＰ（Plasma Display Panel）等の表示デバイスと、（ii）再生処理ユニット１４０から受信した画像データＩＤＴに従って、当該表示デバイスに画像を表示させる表示制御回路とを備えている。この表示ユニット１７０は、希望局からの放送映像を表示する。
【００４２】
制御ユニット１２０は、上述したように、放送受信装置１００の全体の動作を制御する。この放送受信装置１００は、図７に示されるように、選局制御手段としての処理管理部１２１と、サーチ手段としての最適局サーチ部１２２と、記憶手段としての記憶部１２３とを備えている。
【００４３】
記憶部１２３には、周波数リスト１２６が記憶されるとともに、選局ワーク領域１２７が確保されている。ここで、周波数リスト１２６は、図８に示されるように、同一内容の放送を行う複数の物理チャンネルごとにブロック化されて、複数のリストブロックＬＢＫP（Ｐ＝１，２，…）を有する構成とされている。リストブロックＬＢＫPのそれぞれには、固有のブロック識別子が付されており、当該ブロック識別子により、周波数リスト１２６内における位置が特定されるようになっている。リストブロックＬＢＫPのそれぞれは、図９に示されるように、当該リストブロックＬＢＫPに属する物理チャンネル（ＰＣPQ（Ｑ＝１，２，…））と、物理チャンネル（ＰＣPQ）に対応する周波数情報（ＦPQ）とが対応付けて登録されている。かかる周波数リスト１２６は、再生処理ユニット１４０からの信号ＤＢＤに含まれるダウンロードデータや、通常放送時における同一内容の放送を行っている物理チャンネル情報等に基づいて作成される。
【００４４】
選局ワーク領域１２７は、図１０に示されるように、視聴中物理チャンネル情報領域ＣＰＣと、作業領域ＷＫＡとを含んでいる。ここで、視聴中物理チャンネル情報としては、視聴中物理チャンネル及び視聴中物理チャンネルが属するリストブロックの識別子とが格納される。
【００４５】
図７に戻り、処理管理部１２１は、タイマ等を備えて構成されている。この処理管理部１２１は、操作入力ユニット１５０に入力された選局指定が入力データＩＰＤとして通知されると、当該選局指定に従って選局指令ＣＳＬ1，ＣＳＬ2を生成して、チューナユニット１３０へ向けて出力する。
【００４６】
処理管理部１２１は、受信処理期間において定期的に最適局サーチ指令ＳＲＳを最適局サーチ部１２２に対して発行する。そして、処理管理部１２１は、最適局サーチ指令ＳＲＳを受けた最適局サーチ部１２２からサーチ用選局要求ＣＳＲを受けると、サーチ用選局要求ＣＳＲに従って選局指令ＣＳＬ2を生成して、チューナユニット１３０へ向けて出力する。また、最適局サーチ部１２２によるサーチが終了し、サーチ終了報告としての最適物理チャンネル報告ＯＰＣを受けると、最適物理チャンネル報告ＯＰＣに従って選局指令ＣＳＬ1，ＣＳＬ2を生成して、チューナユニット１３０へ向けて出力する。
【００４７】
また、処理管理部１２１は、最適局サーチ部１２２によるサーチ期間においては、サーチ中合成の指定を合成制御指令ＳＮＣにより行う。一方、処理管理部１２１は、最適局サーチ部１２２によるサーチ期間以外の期間においては、通常合成の指定を合成制御指令ＳＮＣにより行う。処理管理部１２１は、この合成制御指令ＳＮＣを、再生処理ユニット１４０へ向けて出力する。
【００４８】
処理管理部１２１は、再生処理ユニット１４０からの信号ＤＢＤに含まれる情報に従って、周波数リストの更新を行う。また、処理管理部１２１は、選局ワーク領域１２７における視聴中物理チャンネル情報領域ＣＰＣへの登録、更新処理を行う。
【００４９】
最適局サーチ部１２２は、処理管理部１２１からの最適局サーチ指令ＳＲＳを受けて、最適局のサーチを行う。かかるサーチに際して、最適局サーチ部１２２は、視聴中物理チャンネル情報領域ＣＰＣにおける視聴中物理チャンネルが属するリストブロックＬＢＫP内における物理チャンネル（ＰＣPQ）のそれぞれについて、順次サーチ用選局要求ＣＳＲを発行しつつ、再生処理ユニット１４０からの自動利得制御信号ＡＧＣ11〜ＡＧＣ22に基づいて、受信状態を収集する。
【００５０】
ここで、サーチ用選局要求ＣＳＲに対応する物理チャンネルが視聴中物理チャンネルに一致する場合には、最適局サーチ部１２２は、自動利得制御信号ＡＧＣ11〜ＡＧＣ22に基づいて、受信状態を収集する。一方、サーチ用選局要求ＣＳＲに対応する物理チャンネルが視聴中物理チャンネルに一致しない場合には、最適局サーチ部１２２は、自動利得制御信号ＡＧＣ21，ＡＧＣ22に基づいて、受信状態を収集する。
【００５１】
そして、リストブロックＬＢＫP内における物理チャンネル（ＰＣPQ）の全ての物理チャンネルについて受信状態を収集すると、最適局サーチ部１２２は、収集結果に基づいて最適物理チャンネルを決定する。かかる決定結果は、最適物理チャンネル報告ＯＰＣとして、処理管理部１２１へ報告される。
【００５２】
［動作］
以上のようにして構成された放送受信装置１００の動作について、最適物理チャンネルサーチ処理に主に着目して説明する。
【００５３】
前提として、制御ユニット１２０の記憶部１２３における周波数リスト１２６の内容は登録済であるものとする。また、当初において、放送受信装置１００は、操作入力ユニット１５０からの選局指定に従って、当該選局指定に対応する物理チャンネル（ＰＣPQ）が選択して、通常の受信処理を行っているものとする。すなわち、制御ユニット１２０の処理管理部１２１は、物理チャンネル（ＰＣPQ）に対応する選局指令ＣＳＬ1，ＣＳＬ2を生成して、チューナユニット１３０へ向けて出力しているものとする。また、処理管理部１２１は、記憶部１２３における選局ワーク領域１２７内の視聴中物理チャンネル情報領域ＣＰＣには、物理チャンネル（ＰＣPQ）及び当該物理チャンネル（ＰＣPQ）が属しているリストブロックＬＢＫPの識別子が登録されているものとする。
【００５４】
以上のような当初設定により物理チャンネル（ＰＣPQ）を介した放送信号の受信処理中に定期的に最適物理チャンネルのサーチ処理である最適局サーチ処理が実行される。かかる最適局サーチ処理は、処理管理部１２１が最適局サーチ指令ＳＲＳを最適局サーチ部１２２に対して発行することにより開始される。
【００５５】
最適局サーチ処理では、図１１に示されるように、まず、ステップＳ１１において、最適局サーチ部１２２が、視聴中物理チャンネル情報領域ＣＰＣを参照し、視聴中物理チャンネルが属しているリストブロックを特定する。今回の場合には、リストブロックＬＢＫPが特定される。
【００５６】
次に、ステップＳ１２において、最適局サーチ部１２２が、リストブロックＬＢＫPにおける最初の物理チャンネル（ＰＣP1）に対応する周波数情報（ＦP1）を読み取る。引き続き、最適局サーチ部１２２は、読み取られた周波数情報（ＦP1）を指定したサーチ用選局要求ＣＳＲを処理管理部１２１へ送る。
【００５７】
このサーチ用選局要求ＣＳＲを受けた処理管理部１２１は、周波数情報（ＦP1）に対応する選局指令ＣＳＬ2を生成して、チューナユニット１３０へ向けて出力するとともに、再生処理ユニット１４０に対するサーチ中合成の指定を合成制御指令ＳＮＣにより行う。この結果、アンテナユニット１１０1に属するアンテナ１１１11及びアンテナ１１１12による視聴中物理チャンネル（ＰＣPQ）に関する選局信号ＩＦＳ12，ＩＦＳ12については、自動利得制御のみが行われた後、復調処理及びデコード処理が再生処理ユニット１４０において行われるようになる。一方、アンテナユニット１１０2に属するアンテナ１１１21及びアンテナ１１１22による物理チャンネル（ＰＣP1）に関する選局信号ＩＦＳ21，ＩＦＳ22については、自動利得制御のみが行われるようになる。
【００５８】
次いで、ステップＳ１３において、物理チャンネル（ＰＣP1）に関する受信状態の収集処理が行われる。この受信状態の収集処理においては、図１２に示されるように、まず、ステップＳ２１において、最適局サーチ部１２２が、視聴中物理チャンネル情報領域ＣＰＣを参照して、受信状態の収集対象である収集物理チャンネル（この段階では、物理チャンネル（ＰＣP1））が視聴中物理チャンネル（ＰＣPQ）と同一であるか否かを判定する。
【００５９】
ステップＳ２１における判定の結果が肯定的であった場合（ステップＳ２１：Ｙ）には、処理はステップＳ２２へ進む。このステップＳ２２では、最適局サーチ部１２２が、再生処理ユニット１４０からの自動利得制御信号ＡＧＣ11〜ＡＧＣ22の全てに基づいて、アンテナ１１１11〜１１１22による物理チャンネル（ＰＣP1）を介した信号の受信パワーの最大値に対応する値（例えば、自動利得制御信号の値）を、最良受信状態情報として物理チャンネル（ＰＣP1）と対応付けて作業領域ＷＫＡに記録する。この後、ステップＳ１３の処理が終了する。
【００６０】
ステップＳ２１における判定の結果が否定的であった場合（ステップＳ２１：Ｎ）には、処理はステップＳ２３へ進む。このステップＳ２３では、最適局サーチ部１２２が、再生処理ユニット１４０からの自動利得制御信号ＡＧＣ21，ＡＧＣ22に基づいて、アンテナユニット１１０2に属するアンテナ１１１21，１１１22による物理チャンネル（ＰＣP1）を介した信号の受信パワーの最大値に対応する値（例えば、自動利得制御信号の値）を、最良受信状態情報として物理チャンネル（ＰＣP1）と対応付けて作業領域ＷＫＡに記録する。この後、ステップＳ１３の処理が終了する。
【００６１】
以上のようにしてステップＳ１３の処理が終了すると、処理は図１１のステップＳ１４へ進む。このステップＳ１４では、最適局サーチ部１２２が、リストブロックＬＢＫP内における全ての物理チャンネルについて、受信状態の収集が終了したか否かを判定する。
【００６２】
ステップＳ１４における判定の結果が否定的であった場合（ステップＳ１４：Ｎ）には、処理はステップＳ１７へ進む。このステップＳ１７では、最適局サーチ部１２２が、リストブロックＬＢＫPにおける次の物理チャンネル（この段階では、物理チャンネルＰＣP2）に対応する周波数情報を新たに読み取る。引き続き、最適局サーチ部１２２は、新たに読み取られた周波数情報を指定したサーチ用選局要求ＣＳＲを処理管理部１２１へ送る。
【００６３】
このサーチ用選局要求ＣＳＲを受けた処理管理部１２１は、新たな周波数情報に対応する選局指令ＣＳＬ2を生成して、チューナユニット１３０へ向けて出力する。この結果、アンテナユニット１１０1に属するアンテナ１１１11及びアンテナ１１１12による視聴中物理チャンネル（ＰＣPQ）に関する選局信号ＩＦＳ21，ＩＦＳ22については、自動利得制御のみが行われた後、復調処理及びデコード処理が再生処理ユニット１４０において継続して行われるとともに、アンテナユニット１１０2に属するアンテナ１１１21及びアンテナ１１１22による次の物理チャンネルに関する選局信号ＩＦＳ21，ＩＦＳ22については、自動利得制御のみが行われるようになる。
【００６４】
こうして次の物理チャンネルに関する受信状態の収集のための設定がなされた後、処理はステップＳ１３へ戻る。以下、ステップＳ１４における判定の結果が肯定的となるまで、ステップＳ１３及びステップＳ１７の処理が繰り返される。
【００６５】
リストブロックＬＢＫP内における全ての物理チャンネルについて受信状態の収集が終了し、ステップＳ１４における判定の結果が肯定的となると（ステップＳ１４：Ｙ）、処理は、ステップＳ１５へ進む。なお、この段階においては、作業領域ＷＫＡの内容は、図１３に示されるように、物理チャンネル（ＰＣP1，ＰＣP2，…）のそれぞれに対応付けられて、最良受信状態情報が記録された状態となっている。
【００６６】
ステップＳ１５においては、最適局サーチ部１２２が、作業領域ＷＫＡの内容を参照して、物理チャンネル（ＰＣP1，ＰＣP2，…）のそれぞれに対応付けられた最良受信状態情報のうちで、最も大きな受信パワーに対応するものを特定する。引き続き、最適局サーチ部１２２は、特定された最良受信状態に対応する物理チャンネルを最適物理チャンネルであると決定する。そして、最適局サーチ部１２２は、決定された最適物理チャンネルの情報を、最適物理チャンネル報告ＯＰＣとして、処理管理部１２１へ送る。
【００６７】
次に、ステップＳ１６において、最適物理チャンネル報告ＯＰＣを受けた処理管理部１２１が、最適物理チャンネルに対応する選局指令ＣＳＬ1，ＣＳＬ2を生成して、チューナユニット１３０へ向けて出力するとともに、再生処理ユニット１４０に対する通常合成の指定を合成制御指令ＳＮＣにより行う。この結果、アンテナユニット１１０1に属するアンテナ１１１11及びアンテナ１１１12による最適物理チャンネルに関する選局信号ＩＦＳ11，ＩＦＳ12、並びにアンテナユニット１１０2に属するアンテナ１１１21及びアンテナ１１１22による最適物理チャンネルに関する選局信号ＩＦＳ21，ＩＦＳ22、の全てについて、自動利得制御のみが行われた後、復調処理及びデコード処理が再生処理ユニット１４０において行われるようになる。
【００６８】
この後、今回の最適物理チャンネルサーチ処理により決定された最適物理チャンネルに関する受信処理が、次の最適物理チャンネルサーチ処理まで継続される。
【００６９】
以上説明したように、本実施形態では、視聴中物理チャンネルと同一内容の放送に利用されている複数の物理チャンネルの中から最適物理チャンネルを決定するに際して、アンテナユニット１１０1による受信結果を用いた視聴を確保しつつ、アンテナユニット１１０2による受信結果から抽出する信号を、複数の物理チャンネルのそれぞれに対応するものに順次切り換える。そして、アンテナユニット１１０2による受信結果から抽出する信号の物理チャンネルが視聴中物理チャンネルに一致する場合には、アンテナユニット１１０1又はアンテナユニット１１０2に属するアンテナ１１１11〜１１１22の全ての受信結果に基づいて、視聴中物理チャンネルに関する受信状態を収集する。一方、アンテナユニット１１０2による受信結果から抽出する信号の物理チャンネルが視聴中物理チャンネルに一致しない場合には、アンテナユニット１１０2に属するアンテナ１１１21，１１１22の受信結果に基づいて、収集対象となる物理チャンネルの受信状態を収集する。そして、収集結果に基づいて、最適物理チャンネルを決定する。
【００７０】
このため、最適物理チャンネルの決定に際して、視聴中物理チャンネルによる現在の受信状態を尊重した合理的な決定を行うことができる。したがって、視聴中の放送内容の継続的な視聴を確保しつつ、最適な放送の物理チャンネルを合理的に選択することができる。
【００７１】
また、本実施形態では、最適物理チャンネルのサーチ期間において継続的な視聴を確保するためのアンテナユニット１１０1のアンテナ１１１11，１１１12を車両ＣＲの後方側に配設し、最適物理チャンネルのサーチ期間において各物理チャンネルの受信状態を収集するためのアンテナユニット１１０2のアンテナ１１１21，１１１22を車両ＣＲの前方側に配設している。このため、各アンテナの指向性と、車両ＣＲの走行による放送基地局と各アンテナとの位置関係の変化を合理的に考慮した最適物理チャンネルの決定を行うことができる。
【００７２】
［実施形態の変形］
本発明は、上記の実施形態に限定されるものではなく、様々な変形が可能である。
【００７３】
例えば、上記の実施形態では、アンテナユニット１１０1，１１０2におけるアンテナの数を２つとしたが、各アンテナユニットに含まれるアンテナの数は、１つであってもよいし、３つ以上であってもよい。また、各アンテナユニットにおけるアンテナの数は、相互に異なっていてもよい。
【００７４】
また、上記の実施形態では、アンテナユニット１１０1，１１０2の２つのアンテナユニットを配設するようにしたが、配設されるアンテナユニットの数は、３つ以上であってもよい。
【００７５】
また、上記の実施形態では、アンテナユニット１１０1のアンテナ１１１11，１１１12を車両ＣＲの後方側に配設し、最適物理チャンネルのサーチ期間において各物理チャンネルの受信状態を収集するためのアンテナユニット１１０2のアンテナ１１１21，１１１22を車両ＣＲの前方側に配設した。これに対し、全てのアンテナを車両ＣＲの後方側に配設してもよいし、全てのアンテナを車両ＣＲの前方側に配設してもよい。こうした場合にも、最適物理チャンネルの決定に際して、視聴中物理チャンネルによる現在の受信状態を尊重した決定を行うことができる。
【００７６】
また、上記の実施形態では、個々のアンテナにおける受信パワーを受信状態として検出することにしたが、アンテナユニットに含まれるアンテナによる受信パワーの和を、アンテナユニットにおける受信状態として検出することもできる。
【００７７】
また、上記の実施形態においては、車両に搭載される放送受信装置に本発明を適用したが、車両以外の他の移動体に搭載される放送受信機能を有する装置に本発明を適用することもできるし、また、例えば、家庭内等に設置される放送受信機能を有する装置に本発明を適用することもできる。
【００７８】
なお、上記の実施形態における制御ユニット１２０の一部又は全部を中央処理装置（ＣＰＵ：Central Processing Unit）、読出専用メモリ（ＲＯＭ：Read Only Memory）、ランダムアクセスメモリ（ＲＡＭ：Random Access Memory）等を備えた演算手段としてのコンピュータとして構成し、予め用意されたプログラムを当該コンピュータで実行することにより、上記の実施形態における処理の一部又は全部を実行するようにしてもよい。このプログラムはハードディスク、ＣＤ−ＲＯＭ、ＤＶＤ等のコンピュータで読み取り可能な記録媒体に記録され、当該コンピュータによって記録媒体から読み出されて実行される。また、このプログラムは、ＣＤ−ＲＯＭ、ＤＶＤ等の可搬型記録媒体に記録された形態で取得されるようにしてもよいし、インターネットなどのネットワークを介した配送の形態で取得されるようにしてもよい。
【図面の簡単な説明】
【００７９】
【図１】本発明の一実施形態に係る放送受信装置の構成を概略的に示すブロック図である。
【図２】図１における４つのアンテナの配設位置を説明するための図である。
【図３】図１のチューナユニットの構成を示すブロック図である。
【図４】図３のチューナ回路の構成を示すブロック図である。
【図５】図１の再生処理ユニットの構成を示すブロック図である。
【図６】図５のＯＦＤＭ復調部の構成を示すブロック図である。
【図７】図１の制御ユニットの構成を示すブロック図である。
【図８】図７の周波数リストの構造を説明するための図である。
【図９】図８のリストブロックの内容を説明するための図である。
【図１０】図７の選局ワーク領域の構造を説明するための図である。
【図１１】図１の装置による最適物理チャンネルの選択処理を説明するためのフローチャートである。
【図１２】図１１の受信状態の収集処理を説明するためのフローチャートである。
【図１３】図１１の処理中における作業領域の内容を説明するための図である。
【符号の説明】
【００８０】
１００   …  放送受信装置
１１０1  …  アンテナユニット（第１アンテナグループ）
１１０2  …  アンテナユニット（第２アンテナグループ）
１２１   …  処理管理部（選局制御手段）
１２２   …  最適局サーチ部（サーチ手段）
１２３   …  記憶部（記憶手段）
１３１1  …  第１チューナユニット
１３１2  …  第２チューナユニット
２２１   …  ＡＧＣ制御部（第１及び第２検出手段）
【図１】
2008278126.tif 000003
【図２】
2008278126.tif 000004
【図３】
2008278126.tif 000005
【図４】
2008278126.tif 000006
【図５】
2008278126.tif 000007
【図６】
2008278126.tif 000008
【図７】
2008278126.tif 000009
【図８】
2008278126.tif 000010
【図９】
2008278126.tif 000011
【図１０】
2008278126.tif 000012
【図１１】
2008278126.tif 000013
【図１２】
2008278126.tif 000014
【図１３】
2008278126.tif 000015